(57)【特許請求の範囲】
【請求項１】
偏光フィルタを回転可能に嵌装したフィルタ保持枠を、撮影光路から独立した位置に測光部を有する外部測光式のカメラの撮影レンズに装着して使用する際の偏光フィルタガイド装置であって、
上記フィルタ保持枠は、上記撮影レンズの前部に着脱自在に位置決めして装着した固定枠との間に一対の同長のリンクにより連結されて同一平面上を移動可能としたことを特徴とする偏光フィルタガイド装置。
【請求項２】
一対の同長のリンクは、フィルタ保持枠が固定枠と同心となった状態では、上記フィルタ保持枠と上記固定枠との間に埋没し得るようにしたことを特徴とする請求項１記載の偏光フィルタガイド装置。
【請求項３】
固定枠は、撮影レンズ外周部にバヨネット結合するようにしたことを特徴とする請求項１又は２記載の偏光フィルタガイド装置。
【発明の詳細な説明】
【０００１】
【発明の属する技術分野】
この発明は、写真用レンズに装着して写真撮影時における有害な反射光をカットする偏光フィルタを、カメラの撮影光路から独立した位置にある測光部前面に移動させて露出補正を行うための偏光フィルタガイド装置に関する。
【０００２】
【従来の技術】
一般に、偏光フィルタは、フィルタ本体とそれを支持するフィルタ枠及びフィルタ枠を回転可能に嵌装するフィルタ保持枠とからなり、フィルタ保持枠にはカメラの撮影レンズに装着するためのねじ部を設け撮影レンズ筐体最前部に装着するようになっている。
【０００３】
このような構成からなる偏光フィルタは、一眼レフカメラのように撮影レンズ通過光で照射される位置に設けた測光部により、測光する内部測光方式においては、原理的に、偏光された光線による像面照度をそのまま測光するので、撮影レンズ前面に偏光フィルタを装着した状態のままで撮影をしても正確な測光と偏光効果を得ることができる。
【０００４】
【発明が解決しようとする課題】
しかしながら、このような従来の偏光フィルタを、一眼レフ以外のカメラ、例えば２眼レフカメラや透視ファインダカメラ等であって、その測光部が独立して撮影レンズ通過光と無関係なカメラに用いた場合には、ファインダで偏光効果や露出倍数を確認することができないという問題点があった。
【０００５】
そのため、撮影レンズへ装着する前に偏光フィルタを眼にあてがい、フィルタ枠を回転させて偏光が効果的にカットされる回転位置をフィルタ枠の刻印記号や文字で記憶するかマークした後、フィルタ保持枠を撮影レンズに螺着し、再びフィルタ枠を回転させて記憶またはマークした位置にくるようにしなければならなかった。
同時に、フィルタ枠の回転角度によって透過光量が変化するため、絞りまたはシャッタスピードを変化させて３〜４倍の露出補正を行う必要があった。
【０００６】
ところが、このような方法では、偏光フィルタを撮影レンズ前面のフィルタねじに螺着する際にフィルタ枠がフィルタ保持枠とともに回転し、先に記憶したフィルタ枠の回転位置やマークした位置が分からなくなった場合には、再度、同様の操作を余儀なくされ、その間に被写体の状態が変化してシャッタチャンスを逸するおそれがあった。
さらに、露出倍数をカメラに内蔵した測光部と関係なく定めているため、正確な露出倍数を設定できない点にも問題があった。
【０００７】
この発明は上記の点に鑑みてなされたものであり、カメラの撮影レンズに装着したまま、効果的な偏光効果と、正確な露出設定とを可能とする偏光フィルタガイド装置を提供することを目的とする。
【０００８】
【課題を解決するための手段】
この発明は上記の目的を達成するため、偏光フィルタを回転可能に嵌装したフィルタ保持枠を、撮影光路から独立した位置に測光部を有する外部測光式のカメラの撮影レンズに装着して使用する際の偏光フィルタガイド装置であって、上記フィルタ保持枠は、上記撮影レンズ前部に着脱自在に位置決めして装着した固定枠との間に一対の同長のリンクにより連結されて同一平面上を移動可能とした偏光フィルタガイド装置を提供するものである。
【０００９】
また、上記の偏光フィルタガイド装置において、一対の同長のリンクは、フィルタ保持枠が固定枠と同心となった状態では、上記フィルタ保持枠と上記固定枠との間に埋没し得るようにするのが好ましく、固定枠は、撮影レンズ外周部にバヨネット結合するようにするとさらによい。
【００１０】
この発明による偏光フィルタガイド装置は上記のように構成することにより、その固定枠を撮影レンズ前部に位置決めして装着した状態で、フィルタ保持枠を撮影レンズの前面位置から測光部の前面位置へ同一平面上で移動させた後、偏光フィルタを回転させてカメラ本体の背後から、あるいはファインダ窓を透して偏光効果を確かめ、同時に偏光フィルタ装着時の正確な露出を設定することができる。
【００１１】
したがって、この状態からフィルタ保持枠を撮影レンズの前面位置へ復帰させるだけで、目視した偏光効果と測光部で測光した露出値を狂わすことなく短時間で容易に一眼レフカメラに近い使用感を得ることが可能になる。
【００１２】
【発明の実施の形態】
以下、この発明の実施形態を図面に基づいて具体的に説明する。
図１は、この発明の一実施形態を示す正面図、図２は、その側面図、図３は、上記の偏光フィルタをカメラの撮影レンズ前面に装着した状態を示す正面図、図４は、測光部前面に移動させた状態を示す正面図である。
【００１３】
このカメラのカメラ本体１には、図３及び図４に示すように、レンジファインダ２の測距窓２ａの内側左上部に小径の凸レンズで受光角を定めた測光部２ｂが設けてあり、撮影レンズ３を装着することによりファインダ窓２ｃを透して距離合わせをし、ブライトフレーム窓２ｄ内で自動的に切り換えられたブライトフレームにより構図を決めて撮影するようになっており、撮影レンズ３の前枠３ｂには、レンズフード装着用の３個のバヨネット爪３ａが突設されている。なお、測光部２ｂを有する測距窓２ａは撮影レンズ３のほぼ真上に位置している。
【００１４】
また、絞り優先ＡＥのカメラ本体１のシャッタスピードダイヤル４にはＡＥロックを示すＡＥＬ位置があり、シャッタスピードダイヤル４をＡＥＬ位置に合わせシャッタボタン５を半押ししたとき、その時点での測光値を記憶し、そのままレリ−ズするとその記憶値で自動露出される。
【００１５】
この撮影レンズ３の前部に着脱自在に装着される固定枠６は、内周部にバヨネット溝（図示しない）を有し、このバヨネット溝が撮影レンズ３の前枠３ｂに設けたバヨネット爪３ａに着脱自在に嵌合して装着方向が位置決めされる。
【００１６】
ここで、図１及び図２を参照して、固定枠６の前部にフィルタ保持枠７を平行状態を保って設け、このフィルタ保持枠７の前部にフィルタ枠８を回転自在に装着する。そのため、固定枠６の前面に設けた枢軸９ａ，９ｂとフィルタ保持枠７の後面に設けた軸１０ａ，１０ｂとをそれぞれ同長の円弧状のリンク１１ａ，１１ｂにより連結し、リンク１１ａ，１１ｂの曲率半径を固定枠６及びフィルタ保持枠７の半径と同一とする。
【００１７】
これにより、図１に実線で示すように、フィルタ保持枠７が固定枠６に同心状に重なった状態では、リンク１１ａ，１１ｂはフィルタ保持枠７と固定枠６との間に埋没して不可視とすることができる。なお、この状態でフィルタ保持枠７と固定枠６とを簡単なクリック機構によりクリック止めし得るようにすると、撮影時の操作性を一層良好にすることができる。
【００１８】
フィルタ枠８には、図２に示すように偏光フィルタ１２が一体的に固定され、フィルタ保持枠７との間に適当な摺動摩擦を与えて任意の回転位置で保持し得るようにし、固定枠６及びフィルタ保持枠７とリンク１１ａ，１１ｂとの間には、枢軸９ａ，９ｂ及び軸１０ａ，１０ｂを介して摩擦抵抗を与え、フィルタ保持枠７の任意の移動位置で保持可能とする。
【００１９】
次に、上記のような構成からなる実施形態の作用を説明する。
カメラ本体１（図３）に撮影レンズ３を装着すると、それに連動してブライトフレーム窓２ｄ内の図示しないブライトフレームが自動的に切り換えられ、撮影レンズ３側の距離調節操作によりレンジファインダ２の測距窓２ａ内の実像からなる移動像がファインダ窓２ｃの視野像と重なって距離合わせが行われる。
【００２０】
この状態で、撮影レンズ３のバヨネット爪３ａにフィルタ側の固定枠６のバヨネット溝を嵌合させてバヨネット結合させると、図３に示すように、固定枠６にクリック止めされたフィルタ保持枠７は同心状態にあり、このフィルタ保持枠７に回転自在に装着されたフィルタ枠８は撮影レンズ３と同一の軸線上に位置している。
【００２１】
この状態からフィルタ保持枠７をそのクリック力に抗して図３で斜め右上方へ押圧すると、図１に示すように、フィルタ保持枠７がフィルタ枠８を伴って同一平面上を仮想線で示す中間状態を経て破線で示す測光位置まで移動し、図４に示すように偏光フィルタ１２がカメラ本体１の測光部２ｂの前面位置に保持される。なお、この移動中フィルタ保持枠７及びフィルタ枠８は不回転状態に保たれている。
【００２２】
この図４に示す状態で、フィルタ枠８を操作してそれと一体の偏光フィルタ１２を回転させながら、カメラ本体１の上方からあるいはファインダ窓２ｃから偏光フィルタ１２を透して被写体を覗き、被写体の明るさがもっとも暗くなった偏光効果最高の位置でフィルタ枠８の回転を止め、シャッタボタン５を半押ししたまま、フィルタ保持枠７を下降させると、フィルタ保持枠７は偏光フィルタ１２を伴って、図３に示す状態に復帰してクリック止めされる。
【００２３】
この状態では、露出値は偏光フィルタ１２を透過した光によって測光された値に保持されているので、そのままシャッタボタンの第２段を押下することにより、露出倍数の加味された正確な露出と表面反射の除去及び色彩コントラストの上昇が可能になる。
【００２４】
上記の実施形態において、シャッタスピードダイヤル４のＡＥＬ位置でシャッタボタン５を半押しして釈放しても露出値が記憶され、再度シャッタボタン５を押下することによりシャッタ作動が行われるようにするか、ＡＥＬボタンを別個に設けてこれを押圧することにより露出値が固定され、シャッタボタン５を押下することにより露出が行われた後ＡＥロックが自動的に解除されるようにすると、操作性を向上させることが可能になる。
【００２５】
この実施形態によれば、固定枠６を撮影レンズ３に装着した状態のまま、一連の操作を容易に且つ短時間で行うことができるので、シャッタチャンスを逸するおそれがない。
また、フィルタ保持枠７は同一平面内を回転することなく移動するので、測光部２ｂの前面へ移動した停止位置で多少の位置ずれを生じても、偏光フィルタ１２の少なくとも一部が測光部２ｂの前面に位置していれば何等不都合を生じることはない。
【００２６】
なお、上記の実施形態において、カメラ本体１に交換可能な撮影レンズ３の前枠径が異なる場合には、偏光フィルタ側の固定枠６の口径を最大の前枠径に対応させたものとし、それより小口径の撮影レンズ３に対しては、アダプタリング（図示しない）を介して固定枠６を装着すればよい。
【００２７】
なおまた、上記の実施形態においては、この発明による偏光フィルタガイド装置をレンジファインダ内に測光部を有するアイレベルカメラに適用した場合について説明したが、この発明はそれに限るものではなく、ファインダレンズ側に測光部を有する二眼レフカメラ等にも何等支障なく実施することができる。
【００２８】
【発明の効果】
以上述べたように、この発明による偏光フィルタガイド装置によれば、測光部の前面位置で偏光効果を確かめながら適正な露出値を容易に設定することができ、短時間で撮影態勢を整えることが可能になって、シャッタチャンスを逸するおそれが減少し、適正な露出を行うことができる。
【００２９】
そして、上記の偏光フィルタガイド装置において、一対のリンクがフィルタ保持枠と固定枠との間に埋没し得るようにすると、撮影状態ではリンクが見えなくなって外観を損なうおそれもなく、固定枠を撮影レンズの外周部にバヨネット結合するようにしたものは、偏光フィルタガイド装置の撮影レンズへの位置決めと着脱をきわめて短時間に行うことが可能になる。
【図面の簡単な説明】
【図１】この発明の一実施形態を示す正面図である。
【図２】同じく、その側面図である。
【図３】同じく、偏光フィルタが撮影レンズの前面位置にある状態を示すカメラの正面図である。
【図４】同じく、偏光フィルタがレンジファインダ内の測光部の前面位置にある状態を示すカメラの正面図である。
【符号の説明】
１：カメラ本体          ２：レンジファインダ
２ａ：測距窓            ２ｂ：測光部
２ｃ：ファインダ窓      ２ｄ：ブライトフレーム窓
３：撮影レンズ          ３ａ：バヨネット爪
３ｂ：前枠
４：シャッタスピードダイヤル
５：シャッタボタン      ６：固定枠
７：フィルタ保持枠
８：フィルタ枠          ９ａ，９ｂ：枢軸
１０ａ，１０ｂ：軸      １１ａ，１１ｂ：リンク
１２：偏光フィルタ
【図１】
0004306913.tif 000002
【図２】
0004306913.tif 000003
【図３】
0004306913.tif 000004
【図４】
0004306913.tif 000005